(57)【要約】【課題】  浴槽の内壁面を予熱できるとともに、蓋の落下を防止できる浴槽の予熱構造を提供すること。【解決手段】  浴槽２０の背もたれ面２６を予熱するための予熱構造を、浴槽２０の一端側に設置された水栓１７と、水栓１７から吐出される湯２１を浴槽２０の周縁部上面２３における一端側部分から他端側部分に向けて流すための溝部２５と、溝部２５から溢れた湯を背もたれ面２６に向けて流す流路２５ｂとで構成した。また、浴槽２０の周縁部上面２３における水栓１７の下方に対応する部分に、水栓１７から吐出される湯を溜めるための供給用凹部２５ａを設け、供給用凹部２５ａから溢れた湯２１が溝部２５に流れるようにした。さらに、浴槽２０の上面を蓋うための蓋２７の周縁部に溝部２５に係合可能な係合部２７ａを形成した。【選択図】  図２
2007151684.tif 000002
【特許請求の範囲】
【請求項１】
浴槽の内壁面を予熱するための浴槽の予熱構造であって、前記浴槽の一端側に設置され前記浴槽に湯を供給する水栓と、前記水栓から吐出される湯を予熱用の湯として前記浴槽の周縁部上面における一端側部分から他端側部分に向けて流すための溝部と、前記溝部を流れた湯を前記浴槽の内壁面に向けて流す流路とを備えたことを特徴とする浴槽の予熱構造。
【請求項２】
前記浴槽の周縁部上面における前記水栓の下方に対応する部分に、前記水栓から吐出される湯を受けるための供給用凹部を設け、前記供給用凹部から溢れた湯が前記溝部に流れるようにした請求項１に記載の浴槽の予熱構造。
【請求項３】
前記浴槽の周縁部上面における他端側部分に、前記溝部から流れてくる湯を溜めるための放出用凹部を設け、前記放出用凹部を通過した湯が前記浴槽の内壁面に流れるようにした請求項１または２に記載の浴槽の予熱構造。
【請求項４】
前記溝部を流れる湯を前記浴槽の内壁面に向けて流すための流路を前記溝部の長手方向に沿って所定間隔で複数個設けた請求項１ないし３のうちのいずれか一つに記載の浴槽の予熱構造。
【請求項５】
前記浴槽の上面を蓋うための蓋の周縁部を前記溝部に係合可能にした請求項１ないし４のうちのいずれか一つに記載の浴槽の予熱構造。
【発明の詳細な説明】
【技術分野】
【０００１】
本発明は、浴槽の内壁面における湯面よりも上部側の部分を予熱するための浴槽の予熱構造に関する。
【背景技術】
【０００２】
浴室内に設置される浴槽は、通常、樹脂やステンレスからなる箱状体で構成され、その周縁部上面に蓋を置いて浴槽内の湯を保温できるようになっている。このような浴槽の中に、オーバーフロー部を設けて、浴槽から溢れた湯が一定の部分から洗い場側に流れるようにしたものがある（例えば、特許文献１参照）。
【特許文献１】特開平１０−３２３２９５号公報
【発明の開示】
【０００３】
このような浴槽に湯を入れた場合、浴槽の内壁面における底面から湯面までの部分は湯によって温められているが、湯面よりも上方部分は冷えた状態になっている。このため、特に、冬場においては、入浴者が浴槽に入り背中を浴槽の内壁面に接触させたときに、冷たく感じて不快になることがある。しかしながら、前述した浴槽におけるオーバーフロー部は、浴槽から溢れた湯を洗い場側の所定部分に排出するために設けられたものであり、その他の従来の浴槽も、浴槽の内壁面を予熱するといった構造はとられていない。また、従来の浴槽では、浴槽内の湯を保温するための蓋が、浴槽の周縁部上面に置かれて浴槽の上面を塞ぐだけであるため、位置ずれして浴槽内や洗い場側に落下することがあるという問題もある。
【０００４】
本発明は、前述した問題に対処するためになされたもので、その目的は、浴槽の内壁面を予熱できるとともに、蓋の落下を防止できる浴槽の予熱構造を提供することである。
【０００５】
前述した目的を達成するため、本発明に係る浴槽の予熱構造の構成上の特徴は、浴槽の内壁面を予熱するための浴槽の予熱構造であって、浴槽の一端側に設置され浴槽に湯を供給する水栓と、水栓から吐出される湯を予熱用の湯として浴槽の周縁部上面における一端側部分から他端側部分に向けて流すための溝部と、溝部を流れた湯を浴槽の内壁面に向けて流す流路とを備えたことにある。
【０００６】
このように構成した本発明に係る浴槽の予熱構造では、入浴者が浴槽に入る前に、水栓の吐出口を溝部の上方に位置させた状態で水栓から所定の温度の湯を吐出させると、湯は溝部内における一端側部分から他端側部分に流れ、溝部の他端側部分から流路を通って浴槽の内壁面に流れていく。そして、この浴槽の内壁面を流れる湯によって、浴槽の内壁面における湯面よりも上部側の部分が温められる。このため、入浴者が浴槽内の湯に浸かり背中を浴槽の内壁面に接触させても内壁面の冷たさによって不快に感じるといったことはなくなる。
【０００７】
また、本発明に係る浴槽の予熱構造の他の構成上の特徴は、浴槽の周縁部上面における水栓の下方に対応する部分に、水栓から吐出される湯を受けるための供給用凹部を設け、供給用凹部から溢れた湯が溝部に流れるようにしたことにある。
【０００８】
この場合の供給用凹部としては、面積の広い凹部や深さの深い凹部とすることができる。供給用凹部を面積の広いもので構成した場合には、水栓から吐出された湯を確実に供給用凹部内に入れることができる。また、供給用凹部を深さの深い凹部で構成した場合には、水栓から吐出された湯が周囲に飛び散ることを防止できる。さらに、供給用凹部を面積が広く深さの深い凹部で構成した場合には、水栓から吐出された湯を周囲に飛び散らすことなく確実に供給用凹部内に入れることができる。この結果、効率のよい予熱が可能になる。また、水栓から吐出された湯を一旦供給用凹部に溜めたのちに溝部に流すようにすると予熱に使う湯量の調節が容易になる。
【０００９】
本発明に係る浴槽の予熱構造のさらに他の構成上の特徴は、浴槽の周縁部上面における他端側部分に、溝部から流れてくる湯を溜めるための放出用凹部を設け、放出用凹部を通過した湯が浴槽の内壁面に流れるようにしたことにある。これによると、湯を放出用凹部から浴槽の内壁面に向けて流す流路の幅を広くした場合に、流路全体から湯を浴槽の内壁面に向けて流すことができるため、浴槽の内壁面における広い部分を予熱できる。
【００１０】
本発明に係る浴槽の予熱構造のさらに他の構成上の特徴は、溝部を流れる湯を浴槽の内壁面に向けて流すための流路を溝部の長手方向に沿って所定間隔で複数個設けたことにある。これによると、浴槽の内壁面におけるさらに広い部分や任意の部分を予熱できる。
【００１１】
本発明に係る浴槽の予熱構造のさらに他の構成上の特徴は、浴槽の上面を蓋うための蓋の周縁部を溝部に係合可能にしたことにある。
【００１２】
この場合、浴槽の溝部が浴槽の周縁部上面における幅方向の中央側に設けられて、浴槽の周縁部上面における溝部の外側部分と内側部分との高さが略同じであるときには、蓋の下面における周縁部に溝部と係合可能な突起等を形成して、この突起等を介して蓋を溝部に係合することができる。また、溝部を形成するために、浴槽の周縁部上面における外部側部分よりも内部側部分の高さを低くしたときには、蓋を平面状の板状のもので構成し、浴槽の周縁部上面における外部側部分と内部側部分との間の段部に蓋の周縁部を位置させることにより蓋を浴槽に係合することができる。これによって、蓋が浴槽内や洗い場等に落下することを防止できる。また、後者の場合には、蓋の位置が湯面に近づくため保温効果が増すようになる。
【発明を実施するための最良の形態】
【００１３】
（第１実施形態）
以下、本発明の第１実施形態を図面を用いて説明する。図１は、同実施形態に係る予熱構造を備えた浴槽２０が設置された浴室１０を示している。この浴室１０では、浴室１０と脱衣室（図示せず）とを区切る壁部１１における図１の手前側部分に出入り用のドア（図示せず）が設けられている。そして、浴室１０の奥側（図１の左側）には、浴室１０と外部とを区切る壁部１２が設けられ、この壁部１２に沿って浴槽２０が設置されている。また、壁部１２の中央部には窓部１２ａが設けられている。
【００１４】
そして、壁部１１と壁部１２との間の壁部１３（図１の奥側に位置する壁部）の下部における浴槽２０と壁部１１との間の部分には、カウンター１４が設けられ、壁部１３におけるカウンター１４の上方に水栓１５が設けられている。また、壁部１３における水栓１５の上方には、鏡１６が設けられ、鏡１６の左側にはシャワー１５ａ、右側には棚部１６ａがそれぞれ設けられている。また、浴槽２０の上面におけるカウンター１４側部分には、浴槽２０内に湯水を入れるための水栓１７が設けられている。
【００１５】
浴槽２０は、図２および図３に示したように、中央部が湯２１を溜めるための凹部２２に形成された箱状に形成され、周縁部上面２３の縁部における洗い場１８側部分（図２における手前側部分）を除く部分に上方に突出した突条部２４が形成されている。そして、周縁部上面２３における凹部２２の周囲を囲った部分に予熱用の湯２１を流すための環状の溝部２５が形成されている。この溝部２５は、水栓１７の下方に形成され、水栓１７から吐出される湯２１が飛び散ることを防止するとともに、その湯２１を所定量溜めるための供給用凹部２５ａと、浴槽２０の背もたれ面２６（図２および図３における凹部２２の左側内壁面）側に形成され、溝部２５を流れてきた湯２１を背もたれ面２６に落下させるための流路２５ｂとを備えている。
【００１６】
供給用凹部２５ａは、図４および図５に示したように、周縁部上面２３の角部に形成された幅の広い（角部の形状に沿って広がっている。）凹部で構成され、深さも溝部２５の他の部分よりもやや深く形成されている。そして、溝部２５の凹部２２側部分における流路２５ｂ以外の部分には、高さが周縁部上面２３よりも低くなった幅の小さな突条２５ｃが上方に向って形成されている。また、溝部２５には、供給用凹部２５ａ側部分が高く、流路２５ｂ側部分がやや低くなるように水勾配が形成されている。したがって、水栓１７から吐出した湯２１は、一旦供給用凹部２５ａ内に所定量溜まり、供給用凹部２５ａから溢れた湯が、溝部２５の一方側と他方側とに分かれてそれぞれ流路２５ｂ側に流れ、流路２５ｂから背もたれ面２６に沿って凹部２２の湯２１内に流れていく。
【００１７】
また、図６および図７に示したように、入浴が行われていないときには、凹部２２内の湯２１を保温するために、浴槽２０の上面に蓋２７が被せられるようになっており、この蓋２７の下面における周縁部には、下方に突出した係合部２７ａが形成されている。この係合部２７ａは溝部２５に係合できる大きさおよび形状に形成され、蓋２７は、溝部２５の外部側の壁部内に入る大きさおよび形状に形成されている。したがって、蓋２７を浴槽２０の上面に取り付けたときには、蓋２７の周囲を溝部２５の外部側の壁部が囲むようになり、蓋２７が浴槽２０の凹部２２内に落下したり、洗い場１８側に落下したりすることが防止される。また、蓋２７の下面が周縁部上面２３よりも低い位置になって湯面に近づくため、湯２１の保温効果が増すようになる。
【００１８】
この構成において、入浴する際には、まず、水栓１７の吐出口を浴槽２０の凹部２２側に向けて、凹部２２内に所定温度の湯２１を溜める。ついで、水栓１７の吐出口を供給用凹部２５ａ側に向け、湯２１の吐出量を少なくした状態で水栓１７から供給用凹部２５ａ内に湯２１を入れる。これによって、供給用凹部２５ａ内に湯２１が溜まり、供給用凹部２５ａから溢れた湯２１は、溝部２５における洗い場１８側部分と壁部１２側部分とに分かれて流路２５ｂ側に流れていく。
【００１９】
そして、流路２５ｂに流れた湯２１は、図８に矢印で示したように、突条２５ｃを通過したところで、背もたれ面２６に沿って落下していく。なお、図８は、洗い場１８側の溝部２５を示しているが、壁部１２側の溝部２５からも同様にして、湯２１が背もたれ面２６に沿って落下していく。この背もたれ面２６を落下する湯２１によって、背もたれ面２６が温められる。このため、入浴者が浴槽２０内に入って、背もたれ面２６にもたれたときに、背中には暖かい感触が伝わり心地よい入浴ができる。そして、入浴者が、体や頭髪を洗う場合には、カウンター１４の前に風呂椅子（図示せず）を置き、その風呂椅子に座って体や頭髪を洗う。
【００２０】
このように、本実施形態に係る浴槽２０では、浴槽２０の周縁部上面２３に、水栓１７側に形成した供給用凹部２５ａから背もたれ面２６側に形成された流路２５ｂに向う溝部２５を設けている。したがって、入浴者が浴槽２０に入る前に、水栓１７から供給用凹部２５ａに向けて所定の温度の湯２１を吐出させると、湯２１は溝部２５内を流れ、流路２５ｂを通って背もたれ面２６に流れていく。そして、この背もたれ面２６を流れる湯２１によって、背もたれ面２６が温められるため、入浴者が浴槽２０内の湯２１に浸かり背中を背もたれ面２６に接触させたときに背もたれ面２６の暖かさが伝わり、心地よい入浴ができる。
【００２１】
また、供給用凹部２５ａが、溝部２５の他の部分と比較して、面積が広く深さがやや深い凹部で構成されているため、水栓１７から吐出された湯２１は周囲に飛び散ることなく確実に供給用凹部２５ａ内に入っていく。この結果、湯２１を無駄にすることなく効率のよい背もたれ面２６の予熱が可能になる。また、水栓１７から吐出された湯２１を一旦供給用凹部２５ａに溜めたのちに溝部２５に流すため予熱に使う湯量の調節が容易になる。さらに、蓋２７に溝部２５に係合できる係合部２７ａを形成するとともに、蓋２７を溝部２５の外部側の壁部内に入る形状にしている。このため、蓋２７を浴槽２０の上面に取り付けたときには、蓋２７が浴槽２０の凹部２２内に落下したり、洗い場１８側に落下したりすることが防止される。また、蓋２７による保温効果も増すようになる。
【００２２】
（第２実施形態）
図９および図１０は、本発明の第２実施形態に係る予熱構造を備えた浴槽３０を示している。この浴槽３０では、湯２１を溝部３５から凹部３２の内壁面に流すための流路３５ａが背もたれ面３６側だけでなく、溝部３５の長手方向に沿って所定間隔で複数個設けられている。すなわち、この浴槽３０では、突条３５ｃが一定の高さで連続して形成されたものでなく、所定間隔で低い部分が形成され、その低い部分によって流路３５ａが構成されている。この浴槽３０におけるそれ以外の部分の構成については、前述した実施形態に係る浴槽２０と同一である。したがって、同一部分に同一符号を記して説明は省略する。
【００２３】
このように構成したため、浴槽３０では、背もたれ面３６だけでなく、凹部３２の内壁面におけるさらに広い部分や任意の部分を予熱できる。このため、入浴者の体が、凹部３２の内壁面におけるどの部分に接触しても暖かさを感じることができ、より心地のよい入浴が可能になる。この浴槽３０のそれ以外の作用効果については、前述した実施形態の浴槽２０と同様である。
【００２４】
（第３実施形態）
図１１は、本発明の第３実施形態に係る予熱構造を備えた浴槽４０を示している。この浴槽４０では、溝部４５における背もたれ面４６側部分に溝部４５を流れてくる湯２１を一旦溜める放出用凹部４５ａが設けられており、この放出用凹部４５ａから溢れた湯２１が流路４５ｂを介して背もたれ面４６に流れるようになっている。この放出用凹部４５ａは、浴槽４０の幅方向に延びる細長い凹部で構成されており、放出用凹部４５ａの内部側縁部に、幅の広い流路４５ｂが形成されている。
【００２５】
この浴槽４０におけるそれ以外の部分の構成については、前述した実施形態に係る浴槽２０と同一である。したがって、同一部分に同一符号を記して説明は省略する。このように構成したため、浴槽４０では、流路４５ｂの幅方向の全体から湯２１を背もたれ面４６に向けて流し背もたれ面４６の略全体を予熱することができる。この浴槽４０のそれ以外の作用効果については、前述した実施形態の浴槽２０と同様である。
【００２６】
また、本発明に係る浴槽の予熱構造は、前述した各実施形態に限定するものでなく、適宜変更して実施することができる。例えば、前述した第３実施形態の浴槽４０では、供給用凹部２５ａと放出用凹部４５ａを備えているが、この場合は、供給用凹部２５ａを省略することができる。また、前述した各実施形態では、蓋２７の下面に係合部２７ａを形成しているが、この係合部２７ａは省略することができる。この場合でも、蓋２７が溝部２５等の外部側の壁部内に入るため、蓋２７が浴槽２０等の凹部２２等内に落下したり、洗い場１８側に落下したりすることが防止される。
【００２７】
また、前述した各実施形態では、周縁部上面２３の縁部における洗い場１８側部分を除く部分に突条部２４を設けるとともに、突条２５ｃ，３５ｃの高さを周縁部上面２３よりも低くしているが、突条部２４を設けず、突条２５ｃ，３５ｃの高さを周縁部上面２３と同じ高さにすることもできる。この場合には、蓋２７の下面に係合部２７ａを形成して、係合部２７ａが溝部２５等に係合できるようにする。また、前述した各実施形態では、供給用凹部２５ａや放出用凹部４５ａの深さを溝部２５等の他の部分よりも深くしているが、この供給用凹部２５ａや放出用凹部４５ａの深さは、溝部２５等の他の部分と同じ深さにしてもよい。さらに、浴槽２０等や溝部２５等の形状等についても本発明の技術的範囲内で適宜変更することができる。
【図面の簡単な説明】
【００２８】
【図１】本発明の第１実施形態に係る予熱構造を備えた浴槽が設置された浴室を示した斜視図である。
【図２】浴槽を示した平面図である。
【図３】図２の３−３断面図である。
【図４】図２の４−４断面図である。
【図５】供給用凹部を示した一部切欠き斜視図である。
【図６】蓋を取り付けた状態の浴槽を示した平面図である。
【図７】図６の７−７断面図である。
【図８】流路を示した一部切欠き斜視図である。
【図９】第２実施形態に係る浴槽を示した平面図である。
【図１０】図９の１０−１０断面図である。
【図１１】第３実施形態に係る浴槽を示した平面図である。
【符号の説明】
【００２９】
１０…浴室、１７…水栓、２０，３０，４０…浴槽、２１…湯、２２，３２…凹部、２３…周縁部上面、２５，３５，４５…溝部、２５ａ…供給用凹部、２５ｂ，３５ａ，４５ｂ…流路、２５ｃ，３５ｃ…突条、２６，３６，４６…背もたれ面、２７…蓋、２７ａ…係合部、４５ａ…放出用凹部。
【図１】
2007151684.tif 000003
【図２】
2007151684.tif 000004
【図３】
2007151684.tif 000005
【図４】
2007151684.tif 000006
【図５】
2007151684.tif 000007
【図６】
2007151684.tif 000008
【図７】
2007151684.tif 000009
【図８】
2007151684.tif 000010
【図９】
2007151684.tif 000011
【図１０】
2007151684.tif 000012
【図１１】
2007151684.tif 000013